(57)【要約】      （修正有）【課題】迅速に構築できる一体式基礎ベアリングプラットフォームを提供する。【解決手段】一体式基礎ベアリングプラットフォームは、上部アンカープレート１、中間アンカープレート３、下部アンカープレート５、防振装置４および鋼構造ベアリングプラットフォーム２を含む一体式ベアリングプラットフォームと圧力ベアリングスピンアンカーロッド６とを含み、鋼構造ベアリングプラットフォーム２は、互いに垂直でボルトで固定された複数の横方向鋼ビーム、縦方向鋼ビームおよび垂直方向鋼ビームを含み、上部アンカープレート１が鋼構造ベアリングプラットフォーム２の頂部に配置され、中間アンカープレート３が鋼構造ベアリングプラットフォーム２の底部に配置され、防振装置４が中間アンカープレート３の底部に配置され、下部アンカープレート５が防振装置４の底部に配置され、下部アンカープレート５が地面に配置され、圧力ベアリングスピンアンカーロッド６によって固定される。【選択図】図１
0003229629.tif 000002
【実用新案登録請求の範囲】
【請求項１】
一体式ベアリングプラットフォームと圧力ベアリングスピンアンカーロッドを含み、前記一体式ベアリングプラットフォームは、上部アンカープレート、中間アンカープレート、下部アンカープレート、防振装置および鋼構造ベアリングプラットフォームを含み、前記鋼構造ベアリングプラットフォームは、複数の横方向鋼ビーム、縦方向鋼ビームおよび垂直方向鋼ビームを含み、前記横方向鋼ビーム、縦方向鋼ビームおよび垂直方向鋼ビームが互いに垂直でボルトで固定され、前記上部アンカープレートが鋼構造ベアリングプラットフォームの頂部に配置され、中間アンカープレートが鋼構造ベアリングプラットフォームの底部に配置され、前記防振装置が中間アンカープレートの底部に配置され、前記下部アンカープレートが防振装置の底部に配置され、前記下部アンカープレートが地面に配置され、下部アンカープレートの底部に圧力ベアリングスピンアンカーロッドが配置され、前記圧力ベアリングスピンアンカーロッドが地面に固定される、ことを特徴とする迅速な構築のための一体式基礎ベアリングプラットフォーム。
【請求項２】
前記横方向鋼ビームと縦方向鋼ビームはＩ形鋼であり、横方向鋼ビームと縦方向鋼ビームが垂直であり、ボルトによって固定されて水平支承層を形成し、鋼構造ベアリングプラットフォームは複数の支承層を有し、垂直方向鋼ビームの両側に取付ブロックが一体的に成形され、垂直方向鋼ビームの頂部が横方向鋼ビームと縦方向鋼ビームの接続箇所に接触し、垂直方向鋼ビームの頂部が縦方向鋼ビームにボルトを介して固定され、取付ブロックの頂部が横方向鋼ビームにボルトを介して固定される、ことを特徴とする請求項１に記載の迅速な構築のための一体式基礎ベアリングプラットフォーム。
【請求項３】
前記防振装置は、頂板、底板、２つの傾斜板および４つの側板を含み、頂板の頂部に複数のサポートが設けられ、前記サポートが中間アンカープレートに接続され、２つの前記傾斜板が交差して固定的に接続され、２つの傾斜板の上端および下端がそれぞれ頂板および底板に固定的に接続され、４つの側板が頂板、底板および傾斜板の周りを囲み、２つの傾斜板が交差して２つの上下に面する垂直充填空間と２つの左右に面する水平充填空間を形成し、前記垂直充填空間に複数の第１のゴム層と第１の鋼板層が水平かつ交互に充填され、前記水平充填空間に複数の第２のゴム層と第２の鋼板層が垂直かつ交互に充填され、前記第１のゴム層は隣接する第２の鋼板層に揃い、第１の鋼板層は隣接する第２のゴム層に揃っている、ことを特徴とする請求項２に記載の迅速な構築のための一体式基礎ベアリングプラットフォーム。
【請求項４】
前記第２の鋼板層は、上層部と下層部を含み、前記下層部が中空であり、上層部が下層部内に垂直に摺動可能に配置され、下層部内にばねが配置され、ばねが上層部に接続される、ことを特徴とする請求項３に記載の迅速な構築のための一体式基礎ベアリングプラットフォーム。
【請求項５】
前記上部アンカープレートと中間アンカープレートがそれぞれ鋼構造ベアリングプラットフォームの頂部および底部に溶接される、ことを特徴とする請求項４に記載の迅速な構築のための一体式基礎ベアリングプラットフォーム。
【請求項６】
前記圧力ベアリングスピンアンカーロッドは下部アンカープレートの周りに配置され、圧力ベアリングスピンアンカーロッドは、アンカーヘッド、スパイラルアンカーロッド、およびコネクタを含み、アンカーヘッドがスパイラルアンカーロッドの下端に配置され、コネクタがスパイラルアンカーロッドの上部に配置され、コネクタが下部アンカープレートにボルトを介して固定的に接続され、前記圧力ベアリングスピンアンカーロッドが地面に機械的に押し込まれる、ことを特徴とする請求項５に記載の迅速な構築のための一体式基礎ベアリングプラットフォーム。
【請求項７】
前記コネクタは、垂直ロッド部と平板部を含み、前記垂直ロッド部が円筒形でありスパイラルアンカーロッドの頂部に同心円状に固定的に接続され、前記平板部が垂直ロッド部の上端に一体成形され、前記垂直ロッド部と平板部に十字形のクランプスロットが形成され、平板部の周りに複数のねじ穴が垂直に開設される、ことを特徴とする請求項６に記載の迅速な構築のための一体式基礎ベアリングプラットフォーム。
【考案の詳細な説明】
【技術分野】
【０００１】
本考案は、建築技術の分野に関し、具体的には、迅速な構築のための一体式基礎ベアリングプラットフォームを開示する。
【背景技術】
【０００２】
現代の建物は一般的に現場打ちの鉄筋コンクリート構造を採用しているが、現場での湿式作業、複雑な工程、高いリソース消費、長い構築時間などの要因により、建設期間が長く、コストも高い。地震被災地、津波被災地、土石流被災地などの自然災害の影響を受けた地域では、伝統的な建物の速度が遅すぎて、コストが高すぎて適用できない。これらの被災地の多くは、住宅地としてテントやボードハウスを利用しているが、テントやボードハウスは、風雨に対する耐性が低く、構造強度が低く、仮設住宅にしか利用できない。しかしながら、例えば地震などの自然災害が発生すると、二次災害が発生する可能性があり、二次災害の危険性も高く、テントやボードハウスなどの一時的なシンプルな建物は完全に抵抗することができず、非常に被害を受けやすい。コンクリート製の建物は、杭基礎またはベアリングプラットフォーム基礎があるため、構造が安定しており、地震に強く、損傷しにくいが、その建設期間が長く、被災地で迅速に建築できないため、迅速な構築のための基礎ベアリングプラットフォームが求められている。
【考案の概要】
【考案が解決しようとする課題】
【０００３】
本考案は、基礎ベアリングプラットフォームをいかに迅速に構築するかという問題を解決するために、迅速な構築のための一体式基礎ベアリングプラットフォームを提供することを意図している。
【課題を解決するための手段】
【０００４】
上記目的を達成するために、本考案の基本的な解決策は以下の通りである。
【０００５】
本考案は、一体式ベアリングプラットフォームと圧力ベアリングスピンアンカーロッドを含み、前記一体式ベアリングプラットフォームは、上部アンカープレート、中間アンカープレート、下部アンカープレート、防振装置および鋼構造ベアリングプラットフォームを含み、前記鋼構造ベアリングプラットフォームは、複数の横方向鋼ビーム、縦方向鋼ビームおよび垂直方向鋼ビームを含み、前記横方向鋼ビーム、縦方向鋼ビームおよび垂直方向鋼ビームが互いに垂直でボルトで固定され、前記上部アンカープレートが鋼構造ベアリングプラットフォームの頂部に配置され、中間アンカープレートが鋼構造ベアリングプラットフォームの底部に配置され、前記防振装置が中間アンカープレートの底部に配置され、前記下部アンカープレートが防振装置の底部に配置され、前記下部アンカープレートが地面に配置され、下部アンカープレートの底部に圧力ベアリングスピンアンカーロッドが配置され、前記圧力ベアリングスピンアンカーロッドが地面に固定される、迅速な構築のための一体式基礎ベアリングプラットフォームを提供する。
【０００６】
選択可能に、前記横方向鋼ビームと縦方向鋼ビームはＩ形鋼であり、横方向鋼ビームと縦方向鋼ビームが垂直であり、ボルトによって固定されて水平支承層を形成し、鋼構造ベアリングプラットフォームは複数の支承層を有し、垂直方向鋼ビームの両側に取付ブロックが一体的に成形され、垂直方向鋼ビームの頂部が横方向鋼ビームと縦方向鋼ビームの接続箇所に接触し、垂直方向鋼ビームの頂部が縦方向鋼ビームにボルトを介して固定され、取付ブロックの頂部が横方向鋼ビームにボルトを介して固定される。
【０００７】
選択可能に、前記防振装置は、頂板、底板、２つの傾斜板および４つの側板を含み、頂板の頂部に複数のサポートが設けられ、前記サポートが中間アンカープレートに接続され、２つの前記傾斜板が交差して固定的に接続され、２つの傾斜板の上端および下端がそれぞれ頂板および底板に固定的に接続され、４つの側板が頂板、底板および傾斜板の周りを囲み、２つの傾斜板が交差して２つの上下に面する垂直充填空間と２つの左右に面する水平充填空間を形成し、前記垂直充填空間に複数の第１のゴム層と第１の鋼板層が水平かつ交互に充填され、前記水平充填空間に複数の第２のゴム層と第２の鋼板層が垂直かつ交互に充填され、前記第１のゴム層は隣接する第２の鋼板層に揃い、第１の鋼板層は隣接する第２のゴム層に揃っている。
【０００８】
選択可能に、前記第２の鋼板層は、上層部と下層部を含み、前記下層部が中空であり、上層部が下層部内に垂直に摺動可能に配置され、下層部内にばねが配置され、ばねが上層部に接続される。
選択可能に、前記上部アンカープレートと中間アンカープレートがそれぞれ鋼構造ベアリングプラットフォームの頂部および底部に溶接される。
【０００９】
選択可能に、前記圧力ベアリングスピンアンカーロッドは下部アンカープレートの周りに配置され、圧力ベアリングスピンアンカーロッドは、アンカーヘッド、スパイラルアンカーロッド、およびコネクタを含み、アンカーヘッドがスパイラルアンカーロッドの下端に配置され、コネクタがスパイラルアンカーロッドの上部に配置され、コネクタが下部アンカープレートにボルトを介して固定的に接続され、前記圧力ベアリングスピンアンカーロッドが地面に機械的に押し込まれる。
【００１０】
選択可能に、前記コネクタは、垂直ロッド部と平板部を含み、前記垂直ロッド部が円筒形でありスパイラルアンカーロッドの頂部に同心円状に固定的に接続され、前記平板部が垂直ロッド部の上端に一体成形され、前記垂直ロッド部と平板部に十字形のクランプスロットが形成され、平板部の周りに複数のねじ穴が垂直に開設される。
【考案の効果】
【００１１】
本考案の動作原理および有益な効果は以下の通りである。
【００１２】
１、本考案の一体式基礎ベアリングプラットフォームのほとんどは鋼構造であり、現場打ち工事なしで現場にて直接組み立てて設置することができる。一体式基礎ベアリングプラットフォームは、被災地での迅速な建設の基礎として使用でき、その後一体式ベアリングプラットフォームに引き続き鋼構造の建物を構築するため、鋼構造の建築がより安定になる。
【００１３】
２、本考案は、圧力ベアリングスピンアンカーロッドを使用しており、迅速に基礎に機械的に押し込まれ、圧力ベアリングスピンアンカーロッドは、非常に優れた曲げ抵抗能力およびせん断抵抗能力があり、様々な土壌層の環境に適用でき、構築速度が速く、被災地の基礎構築に最適である。
【００１４】
３、本考案の鋼構造ベアリングプラットフォームは、横方向鋼ビーム、縦方向鋼ビームおよび垂直方向鋼ビームによって構成されてなり、全体的に比較的軽量のフレーム構造であり、鋼構造ベアリングプラットフォームが圧力に耐え、良好な支持作用を果たす。
【００１５】
４、本考案の防振装置は、２つの傾斜板が交差して２つの垂直充填空間と水平充填空間を形成する構造を採用しており、２つの傾斜板が垂直方向に一定の圧力に耐えることができ、且つ垂直充填空間内に第２の鋼板層が配置され、第２の鋼板層も一定の圧力に耐えられるため、基礎ベアリングプラットフォーム全体の安定性が確保される。同時に、第１のゴム層と第２のゴム層に振動減衰作用があり、本考案では、第２の鋼板層内にさらにばねが配置され、第２の鋼板層はある程度伸縮可能であるため、振動減衰作用がさらに高まり、建築の耐震性が高まる、同時に、第１の鋼板層が第２のゴム層に揃っており、第２の鋼板層が第１のゴム層に揃っているため、第１の鋼板層が押し込まれると、第１の鋼板層が力を傾斜板に伝達し、傾斜板の支承点が第２のゴム層に接触するため、第２のゴム層がエネルギーを吸収して、振動を低減し、振動減衰効果を高めることができる。本考案の基礎ベアリングプラットフォームは、特に地震被災地に適しており、地震被災地で余震が発生した場合、基礎ベアリングプラットフォームは耐震性を向上させ、建物の地震による被害を軽減することができる。
【図面の簡単な説明】
【００１６】
【図１】実施例の構造概略図である。
【図２】図１におけるＢ箇所の拡大図である。
【図３】防振装置の構造概略図である。
【図４】第２の鋼板層の構造概略図である。
【図５】圧力ベアリングスピンアンカーロッドの構造概略図。
【符号の説明】
【００１７】
１        上部アンカープレート
２        鋼構造ベアリングプラットフォーム
３        中間アンカープレート
４        防振装置
５        下部アンカープレート
６        圧力ベアリングスピンアンカーロッド
７        頂板
８        底板
９        サポート
１０      傾斜板
１１      側板
１２      第１の鋼板層
１３      第１のゴム層
１４      第２の鋼板層
１５      第２のゴム層
１６      上層部
１７      下層部
１８      ばね
１９１    アンカーヘッド
１９２    スパイラルアンカーロッド
２０      コネクタ
２１      クランプスロット
２２      横方向鋼ビーム
２３      縦方向鋼ビーム
２４      垂直方向鋼ビーム
２５      取付ブロック
【考案を実施するための形態】
【００１８】
以下、具体的な実施形態により本考案を詳細に説明する。
本実施例は、基本的に図１、図２に示されるように、
【００１９】
迅速な構築のための一体式基礎ベアリングプラットフォームであり、それは、一体式ベアリングプラットフォームと圧力ベアリングスピンアンカーロッド６を含む。
【００２０】
図１および２を参照し、一体式ベアリングプラットフォームは、上部アンカープレート１、中間アンカープレート３、下部アンカープレート５、防振装置４および鋼構造ベアリングプラットフォーム２を含む。鋼構造ベアリングプラットフォーム２は、複数の横方向鋼ビーム２２、縦方向鋼ビーム２３および垂直方向鋼ビーム２４を含み、鋼構造ベアリングプラットフォーム２がフレーム構造を有し、比較的軽量で圧力に耐える。横方向鋼ビーム２２と縦方向鋼ビーム２３はＩ形鋼であり、横方向鋼ビーム２２と縦方向鋼ビーム２３が互いに垂直でありボルトを介して固定され水平支承層を形成し、鋼構造ベアリングプラットフォーム２は複数の支承層を含む。垂直方向鋼ビーム２４の両側に取付ブロック２５が一体的に成形され、垂直方向鋼ビーム２４の頂部が横方向鋼ビーム２２と縦方向鋼ビーム２３の接続箇所に接触し、垂直方向鋼ビーム２４の頂部が縦方向鋼ビーム２３にボルトを介して固定され、取付ブロック２５の頂部が横方向鋼ビーム２２にボルトを介して固定され、垂直方向鋼ビーム２４の底部が下方の支承層に同様に固定的に接続される。鋼構造ベアリングプラットフォーム２全体の最上端と最下端はすべて支承層である。上部アンカープレート１が鋼構造ベアリングプラットフォーム２の頂部に溶接され、中間アンカープレート３が鋼構造ベアリングプラットフォーム２の底部に溶接される。防振装置４は、ボルトを介して中間アンカープレート３の底部に固定され、下部アンカープレート５は、ボルトを介して防振装置４の底部に固定され、下部アンカープレート５は地面に配置される。
【００２１】
図３および図４を参照して、防振装置４は、頂板７、底板８、２つの傾斜板１０および４つの側板１１を含み、底板８が下部アンカープレート５に接続される。頂板７の頂部に複数のサポート９が設けられ、サポート９が中間アンカープレート３に接続される。２つの傾斜板１０が交差して一体成形され、且つ２つの傾斜板１０の上端と下端がそれぞれ頂板７と底板８に固定的に接続される。４つの側板１１が頂板７、底板８および傾斜板１０の周りを囲み、それらに固定的に接続され、側板１１が硬質プラスチックで製造される。２つの傾斜板１０が交差して２つの上下に面する垂直充填空間および２つの左右に面する水平充填空間を形成し、傾斜板１０が垂直方向に沿って一定の圧力に耐える。垂直充填空間に複数の第１のゴム層１３および第１の鋼板層１２が水平かつ交互に固定される。水平充填空間に複数の第２のゴム層１５および第２の鋼板層１４が垂直かつ交互に固定され、第２の鋼板層１４が垂直方向に一定の圧力に耐える。第１のゴム層１３が隣接する第２の鋼板層１４に揃って、第１の鋼板層１２が隣接する第２のゴム層１５に揃っているため、第１の鋼板層１２が押し込まれると、第１の鋼板層１２が力を傾斜板１０に伝達し、傾斜板１０の支承点が第２のゴム層１５に接触しているため、第２のゴム層１５がエネルギーを吸収し、振動を減少し、耐震性を高める。第２の鋼板層１４は上層部１６および下層部１７を含み、下層部１７は中空であり、上層部１６は下層部１７内に摺動可能に設けられ、下層部１７内に複数のばね１８が垂直に配置され、ばね１８の頂部が上層部１６に固定的に接続され、ばね１８がエネルギーを吸収して、耐震性を高めることもできる。
【００２２】
図５を参照し、圧力ベアリングスピンアンカーロッド６は下部アンカープレート５の周りに配置され、圧力ベアリングスピンアンカーロッド６は、アンカーヘッド１９１、スパイラルアンカーロッド１９２およびコネクタ２０を含む。アンカーヘッド１９１がスパイラルアンカーロッド１９２の下端に固定され、コネクタ２０がスパイラルアンカーロッド１９２の上部に固定される。コネクタ２０は垂直ロッド部および平板部を含み、垂直ロッド部が円筒状でありスパイラルアンカーロッド１９２の頂部に同心円状に固定的に接続され、平板部が垂直ロッド部の上端に一体成形される。垂直ロッド部および平板部に十字形のクランプスロット２１が形成され、平板部の周りに複数のねじ穴が垂直に開設され、平板部と下部アンカープレート５がボルトを介して固定的に接続される。圧力ベアリングスピンアンカーロッド６は地面に機械的に押し込まれる。圧力ベアリングスピンアンカーロッド６は、良い曲げ抵抗性能およびせん断抵抗性能を有するため、様々な土壌層環境に適しており、構築速度が速く、震後被災地の複雑な土壌層環境の基礎構築に最適する。
具体的な実施過程は、以下の通りである。
【００２３】
本考案の一体式ベアリングプラットフォームのほとんどは鋼構造であり、工場で予備成形して、現場打ちコンクリートを建設する必要なく建設現場に直接輸送できる。建設現場で、掘削リグにクランプスロット２１に適合する十字形のクランプブロックを取り付け、クランプブロックをクランプスロット２１にクランプして、掘削リグにより圧力ベアリングスピンアンカーロッド６を地面に押し込み、そして一体式ベアリングプラットフォームを取付位置まで持ち上げ、コネクタの平板部を下部アンカープレート５に接続する。一体式ベアリングプラットフォームは、主に基礎として使用され、その構築過程が非常に簡単で、被災地に迅速な構築のための。使用過程中、圧力ベアリングスピンアンカーロッド６は補強の作用を果たして、一体式ベアリングプラットフォームの安定性を確保し、防振装置４は建物の耐震性を高め、余震による建物の損傷を防ぐことができる。
【００２４】
以上、本考案の実施例に過ぎず、良く知られている具体的な構造および特徴などの常識がここで説明されない。当業者は、本考案の構造を逸脱することなく、様々な変更や改良を行うことができ、これらの変更や改良はすべて本考案の保護範囲に含まれ、本考案の実施効果および本考案の実用性にはなんの影響を与えないことは明らかである。
【図１】
0003229629.tif 000003
【図２】
0003229629.tif 000004
【図３】
0003229629.tif 000005
【図４】
0003229629.tif 000006
【図５】
0003229629.tif 000007